(57)【特許請求の範囲】
【請求項１】
レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記レリーズボタンが全押し操作された後そのレリーズボタンが放された際、前記第２レリーズスイッチがオンからオフになった後に第１レリーズスイッチがオンからオフになった場合、前記録音手段が録音を開始し、
前記録音手段の録音開始のタイミングは、撮影を開始するタイミングの後であることを特徴とするカメラ。
【請求項２】
レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記レリーズボタンが全押し操作された後そのレリーズボタンが放された際、前記第２レリーズスイッチがオンからオフになった後に第１レリーズスイッチがオンからオフになったとき、このオフになった時点から所定時間だけ遅延した後に、前記録音手段は録音を開始し、
前記録音手段の録音開始のタイミングは、撮影を開始するタイミングの後であることを特徴とするカメラ。
【請求項３】
レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記第２レリーズスイッチがオンした後、または第２レリーズスイッチがオフしたとき、前記録音手段は最小ゲインで録音を開始し、第１レリーズスイッチがオンからオフしたときその録音手段は通常のゲインで録音を行い、
前記録音手段の録音開始のタイミングは、撮影を開始するタイミングの後であることを特徴とするカメラ。
【請求項４】
前記レリーズボタンが半押し操作されて第１レリーズスイッチがオンしたとき、所定時間遅延した後にまたは最小ゲインで録音を開始することを警告表示することを特徴とする請求項２または請求項３に記載のカメラ。
【請求項５】
前記警告表示を行う警告モードと、その警告表示を行わない通常モードの選択が行えることを特徴とする請求項４に記載のカメラ。
【請求項６】
録音あるいは動画の録画は、再度レリーズボタンが全押し操作されて第１レリーズスイッチがオンからオフしたとき終了し、
その終了した時点から前記第１レリーズスイッチがオフからオンした時点までの録音を削除することを特徴とする請求項１ないし請求項５のいずれか１つに記載のカメラ。
【請求項７】
録音あるいは動画の録画は、再度レリーズボタンが全押し操作されて第１レリーズスイッチがオンからオフしたとき終了し、
前記第１レリーズスイッチがオンした時点まで少なくともさかのぼり、このさかのぼった時点から第１レリーズスイッチのオフ時点までに録音したゲインを最小にまたは漸減することを特徴とする請求項１ないし請求項５のいずれか１つに記載のカメラ。
【請求項８】
前記音声を削除する場合又は録音するゲインを低減する場合、警告手段によってそのことを録音開始前に又は再生時に警告することを特徴とする請求項６または請求項７に記載のカメラ。
【発明の詳細な説明】
【０００１】
【発明の属する技術分野】
この発明は、レリーズボタンが半押し操作されたときオンする第１レリーズスイッチと、レリーズボタンが全押し操作されたときオンする第２レリーズスイッチと、レリーズボタンの操作に連動して録音を開始する音声記録手段とを備えたカメラに関する。
【０００２】
【従来の技術】
従来から、例えば特開平９−３３１５０２号公報に記載されているように、音声録音機能が付いた電子カメラが知られている。
【０００３】
かかる電子カメラにあっては、レリーズボタンを操作するとレリーズボタンを操作したときに出力されるシャッタ擬音も録音されてしまうので、音声を録音している場合には、レリーズボタンを操作した際にシャッタ擬音が発生しないようになっている。
【０００４】
【発明が解決しようとする課題】
しかしながら、このような従来の電子カメラにあっては、シャッタ擬音を録音してしまうことは防止できるが、レリーズボタンが半押し操作や全押し操作ができるようになっている場合、レリーズボタンの半押し操作でオンする第１レリーズスイッチと、全押し操作でオンする第２レリーズスイッチとを備えており、これら第１,第２レリーズスイッチがオンするときやオフするときに、第１,第２レリーズ信号ラインにノイズが発生し、このノイズが録音されてしまうという問題があった。
【０００５】
この発明の目的は、レリーズスイッチがオンやオフする際に発生するノイズを録音してしまうことのないカメラを提供することにある。
【０００６】
【課題を解決するための手段】
上記目的を達成するため、請求項１の発明は、 レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記レリーズボタンが全押し操作された後そのレリーズボタンが放された際、前記第２レリーズスイッチがオンからオフになった後に第１レリーズスイッチがオンからオフになった場合、前記録音手段が録音を開始し、
前記録音手段の録音開始のタイミングは、撮影を開始するタイミングの後であることを特徴とする。
【０００７】
請求項２の発明は、レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記レリーズボタンが全押し操作された後そのレリーズボタンが放された際、前記第２レリーズスイッチがオンからオフになった後に第１レリーズスイッチがオンからオフになったとき、このオフになった時点から所定時間だけ遅延した後に、前記録音手段は録音を開始し、
前記録音手段の録音開始のタイミングは、撮影を開始するタイミングの後であることを特徴とする。
【０００８】
請求項３の発明は、レリーズボタンが半押し以上操作されている間オンしている第１レリーズスイッチと、前記レリーズボタンが全押し操作されているときオンしている第２レリーズスイッチと、前記レリーズボタンの操作に連動して録音を開始する録音手段とを備えたカメラであって、
前記第２レリーズスイッチがオンした後、または第２レリーズスイッチがオフしたとき、前記録音手段は最小ゲインで録音を開始し、第１レリーズスイッチがオンからオフしたときその録音手段は通常のゲインで録音を行い、
前記録音手段の録音開始のタイミングは、撮影を開始するタイミングの後であることを特徴とする。
【０００９】
請求項４の発明は、前記レリーズボタンが半押し操作されて第１レリーズスイッチがオンしたとき、所定時間遅延した後にまたは最小ゲインで録音を開始することを警告表示することを特徴とする。
【００１０】
請求項５の発明は、前記警告表示を行う警告モードと、その警告表示を行わない通常モードの選択が行えることを特徴とする。
【００１１】
請求項６の発明は、録音あるいは動画の録画は、再度レリーズボタンが全押し操作されて第１レリーズスイッチがオンからオフしたとき終了し、
その終了した時点から前記第１レリーズスイッチがオフからオンした時点までの録音を削除することを特徴とする。
【００１２】
請求項７の発明は、録音あるいは動画の録画は、再度レリーズボタンが全押し操作されて第１レリーズスイッチがオンからオフしたとき終了し、
前記第１レリーズスイッチがオンした時点まで少なくともさかのぼり、このさかのぼった時点から第１レリーズスイッチのオフ時点までに録音したゲインを最小にまたは漸減することを特徴とする。
【００１３】
請求項８の発明は、前記音声を削除する場合又は録音するゲインを低減する場合、警告手段によってそのことを録音開始前に又は再生時に警告することを特徴とする。
【００２１】
【作用】
請求項１の発明によれば、録音手段の録音開始のタイミングは、撮影を開始するタイミングの後であるから、第１,第２レリーズスイッチのオン・オフ時に発生するノイズの録音を防止することができる。
【００２２】
請求項２の発明によれば、録音手段は、第１レリーズスイッチがオンからオフになった時点から所定時間だけ遅延した後に且つ撮影を開始するタイミングの後に録音を開始するものであるから、第１,第２レリーズスイッチがオンやオフする際に発生するノイズを録音してしまうことを確実に防止することができる。
【００２３】
請求項３の発明によれば、第２レリーズスイッチがオンした後、または第２レリーズスイッチがオフしたとき、録音手段は最小ゲインで録音を開始し、第１レリーズスイッチがオンからオフしたときその録音手段は通常のゲインで録音を行うものであり、しかも録音手段の録音開始のタイミングは、撮影を開始するタイミングの後であるから、第１,第２レリーズスイッチがオンやオフする際に発生するノイズを不快なレベルで録音してしまうことを防止することができる。
【００２４】
請求項４の発明によれば、レリーズボタンが半押し操作されて第１レリーズスイッチがオンしたとき、所定時間遅延した後にまたは最小ゲインで録音を開始することを警告表示するものであるから、ユーザの設定を認識させてユーザの誤操作を防止することができる。
【００２５】
請求項５の発明によれば、警告表示を行う警告モードと、その警告表示を行わない通常モードの選択が行えるものであるから、警告表示が目障りの場合、目障りとならないようにユーザは設定することができる。
【００２６】
請求項６の発明によれば、録音あるいは動画の録画は、再度レリーズボタンが全押し操作されて第１レリーズスイッチがオンからオフしたとき終了し、その終了した時点から前記第１レリーズスイッチがオフからオンした時点までの録音を削除するものであるから、第１,第２レリーズスイッチのオン・オフによって発生するノイズの録音は削除される。
【００２７】
請求項７の発明によれば、録音あるいは動画の録画は、再度レリーズボタンが全押し操作されて第１レリーズスイッチがオンからオフしたとき終了し、前記第１レリーズスイッチがオンした時点まで少なくともさかのぼり、このさかのぼった時点から第１レリーズスイッチのオフ時点までに録音したゲインを最小にまたは漸減するものであるから、第１,第２レリーズスイッチのオン・オフによって発生するノイズの録音のレベルを低減することができる。
【００２８】
請求項８の発明によれば、音声を削除する場合又は録音するゲインを低減する場合、警告手段によってそのことを録音開始前に又は再生時に警告するものであるから、音声の削除やゲインの低減をユーザに周知させることができる。
【００３６】
【発明の実施の形態】
以下、この発明に係わるカメラの実施の形態を図面に基づいて説明する。
［第１実施形態］
図１において、２はレンズ系であり、このレンズ系２は例えばバリフォーカルレンズ等からなるフォーカスレンズ系２０１とズームレンズ系２０２と絞り等を含むメカ機構２０３とを有する。２０７はフォーカスモータ２０４を駆動させるフォーカスモータドライバ、２０８はズームモータ２０５を駆動させるズームモータドライバ、２０９は絞りモータ２０６を駆動させる絞りモータドライバである。３０２は撮像素子、３０３は相関２重サンプリング回路（ＣＤＳ）、３０４は可変利得増幅器、３０５はタイミングジェネレータ（Ｔｉｍｉｎｇ  Ｇｅｎｅｒａｔｏｒ）である。
【００３７】
３０６はＩＰＰ（Ｉｍａｇｅ  Ｐｒｅ−Ｐｒｏｃｅｓｓｏｒ）、３０８はＤＣＴ（Ｄｉｓｃｒｅｔｅ  Ｃｏｓｉｎｅ  Ｔｒａｎｓｆｏｒｍ）、３０９はコーダー（Ｈｕｆｆｍａｎ  Ｅｎｃｏｄｅｒ／Ｄｅｃｏｄｅｒ）、３１０はＭＣＣ（Ｍｅｍｏｒｙ  Ｃａｒｄ  Ｃｏｎｔｒｏｌｌｅｒ）、３０７はＲＡＭ（内部メモリ）、３１１はカードインターフェース、３１２はＰＣカード（メモリーカード等含む）、４はコントローラ（ＣＰＵ）、４０１はフラッシュメモリー（ＥＥＰＲＯＭ）、４０２はコントローラ用Ａ／Ｄ変換器、４０３はコントローラ用Ｄ／Ａ変換器、６０２はＬＣＤ表示部、６０３は補助光ランプ、６０４は補助光ランプ駆動回路、６０１はＬＣＤドライバ回路、５はストロボ、７はＤＣ−ＤＣコンバータ、７０１はバッテリー、７０２はＡＣアダプタ、９は操作部、９０１は操作部９に設けられたレリーズボタン、９０２はモード入力手段、８は音声アンプ部、８０１はマイク、８０２はスピーカ、８０３はイヤホン、１００１は振動モータドライバ、１００２は振動モータである。
【００３８】
メカ機構２０３のメカニカルシャッタ(図示せず)は２つのフィールド露光を行う。なお、４０４はシステムバスラインを示す。
【００３９】
フォーカスモータドライバ２０７は、コントローラ４から供給される制御信号にしたがって、フォーカスモータドライバ２０７を駆動してフォーカスレンズ系２０１を光軸方向に移動させる。ズームモータドライバ２０８は、コントロ−ラ４から供給される制御信号にしたがってズームモータ２０５を駆動して、ズームレンズ系２０２を光軸方向に移動させる。また、絞りモータドライバ２０９はコントローラ４から供給される制御信号にしたがってメカ機構２０３を駆動し、例えば絞りの絞り値を設定する。
【００４０】
撮像素子３０２はレンズユニットを介して入力した映像を電気信号（アナログ画像データ）に変換する。ＣＤＳ回路３０３はＣＣＤ型撮像素子に対する低雑音化のための回路である。また、ＡＧＣアンプ３０４はＣＤＳ回路３０３で相関２重サンプリングされた信号のレベルを補正する。尚、ＡＧＣアンプ３０４が内蔵するＤ／Ａ変換器を介して設定データ（コントロール電圧）がＡＧＣアンプ３０４に設定されることにより設定される。さらにＡ／Ｄ変換器３０５はＡＧＣアンプ３０４を介して入力した撮像素子３０２からのアナログ画像データをデジタル画像データに変換する。すなわち、ＣＣＤ３０２の出力信号はＣＤＳ回路３０３およびＡＧＣアンプ３０４を介し、また、Ａ／Ｄ変換器３０５により、最適なサンプリング周波数（例えばＮＴＳＣ信号のサブキャリア周波数の整数倍）にてデジタル信号に変換される。
【００４１】
また、デジタル信号処理部であるＩＰＰ３０６、ＤＣＴ３０８およびコーダー３０９は、Ａ／Ｄ変換器３０５から入力したデジタル画像データについて色差（Ｃｂ、Ｃｒ）と輝度（Ｙ）に分けて各種処理、補正及び画像圧縮／伸長のためのデータ処理を施す。ＤＣＴ３０８およびコーダー３０９は、例えばＪＰＥＧ準拠の画像圧縮・伸長の一過程である直交変換・逆直交変換、ならびにＪＰＥＧ準拠の画像圧縮・伸長の一過程であるハフマン符号化・復号化等を行う。
【００４２】
また、ＩＰＰ３０６はＧ画像データの輝度データ（Ｙ）を検出し、検出した輝度データ（Ｙ）に応じたＡＥ評価値をコントローラ４に出力する。このＡＥ評価値は被写体の輝度（明るさ）を示すものである。また、ＩＰＰ３０６は設定された色温度範囲内で、Ｒ，Ｇ，Ｂ画像データの各輝度データ（Ｙ）に応じたＡＷＢ（Ａｕｔｏ  Ｗｈｉｔｅ  Ｂａｌａｎｃｅ）評価値を各々コントローラ４に出力する。このＡＷＢ評価値は被写体の色成分を示すものである。
【００４３】
さらに、ＭＣＣ３１０は、圧縮処理された画像を一旦蓄えてＰＣカードインターフェース３１１を介してＰＣカード３１２への記録、或いはＰＣカード３１２からの読み出しを行う。
【００４４】
ＬＣＤ表示部６０２は透過型ＬＣＤからなり、画像データや操作メニュー等が表示される。補助光ランプ６０３はＬＣＤ表示部６０２を照明するためのバックライトであり、例えば蛍光管あるいは白色ＬＥＤからなる。補助光ランプ駆動回路６０４は、コントローラ４の制御に基づき、補助光ランプ６０３に駆動電力を出力して補助光ランプ６０３を点灯させる。ＬＣＤドライバ回路６０４は、ＩＰＰ３０６から入力される画像データをＬＣＤ表示部６０２に表示させるための回路である。操作部９は、撮影の指示を行うためのレリーズボタン９０１、モード入力手段９０２、電源スイッチ、ＬＣＤスイッチ、補助光ランプスイッチ、機能選択およびその他の各種設定を外部から行うためのボタン等を備えている。モード入力手段９０２に記されている９０２aはＣ音声記録モード、９０２bは静止画記録モード、９０２cは動画記録モードを示し、これらモードを設定することができるようになっている。また、音声記録モードで静止画記録モードや動画記録モードをモード入力手段９０２の操作によって設定することができるようになっている。
【００４５】
ストロボ回路５はコントローラ４の制御によりストロボ光を発する。バッテリ７０１は例えばニッケル水素電池、リチウムイオン電池、ニッカド（ＮｉＣｄ）電池、アルカリ電池等からなり、場合によりＡＣアダプタ７０２の電源電圧が供給されることもあり、ＤＣ−ＤＣコンバータ７を介してデジタルカメラ１の内部に供給される。ＤＣ−ＤＣコンバータ７はコントローラ４の制御により、デジタルカメラ１の内部に出力する各種電源をＯＮ／ＯＦＦするスイッチ回路を内蔵する。
【００４６】
コントローラ４は、ＣＰＵ、ＲＯＭ、ＲＡＭ、Ａ／Ｄ変換器、Ｄ／Ａ変換器等からなり、ＣＰＵは操作部９からの指示または図示しないリモコン等の外部動作指示に従い、ＲＯＭに格納された制御プログラムに従ってＲＡＭをワークエリアとして使用して、デジタルカメラ１の装置全体の制御を行う。
【００４７】
なお、Ａ／Ｄ変換器、Ｄ／Ａ変換器は外部に用意する場合はＡ／Ｄ４０２、Ｄ／Ａ４０３として用意される。具体的には、コントローラ４は、撮影動作、自動露出（ＡＥ）動作、自動ホワイトバランス（ＡＷＢ）調整動作やＡＦ動作、表示等の制御を行う。また、各種制御のための情報入力手段の一つとして内蔵のＡ／Ｄ変換器を用いてアナログ情報の把握を行う。内蔵のＡ／Ｄ変換器は基準電圧との比較で行われる。一方、アナログ出力のためにＤ／Ａ変換器を用いる。
【００４８】
例えばＩＰＰ３０６とコントローラ４との制御、データのやりとりはシステムバス４０４を介して行われる。
【００４９】
また、コントローラ４は、被写体を撮像して得られる画像データをＰＣカード３１２に記録する記録モードと、ＰＣカード３１２に記録された画像データをＬＣＤ表示部６０２に再生して表示する再生モードと、撮像したモニタリング画像をＬＣＤ表示部６０２に直接表示するモニタリングモード等を備えている。また、再生モードやモニアリングモードでＬＣＤ表示部６０２に画像を表示する場合の表示モードとしては、固定モード、外光適応モードを備えており、これらのモードの選択は操作部９で行われる。
【００５０】
フラッシュメモリ４０１には、デジタルカメラの各種パラメータやデータが記録されている。タイミングジェネレータ（ＴＧ）３０１は、ＩＰＰ３０６から入力される水平同期信号及び垂直同期信号に基づいて、各種タイミング信号を生成する。
【００５１】
音声アンプ部８は、コントローラ４のＡ／Ｄ変換器４０２あるいはＤ／Ａ変換器４０３を介してマイク８０１、スピーカ８０２、イヤホン８０３のアナログ信号の増幅を行う。なお、音声出力手段としてはスピーカ８０２のかわりにコントローラ４の図示しない出力よりブザーを使用する方法も可能であることは言うまでもない。
【００５２】
振動モータ１００２は、警告表示手段の一手段であり、コントローラ４からの制御信号により振動モータドライバ１００１によって駆動されて振動し、この振動により警告を行う。
【００５３】
図２はレリーズスイッチ系の構成を示したものであり、このレリーズスイッチ系は、レリーズボタン９０１が半押しのときオンする第１レリーズスイッチ９０１Ａと、レリーズボタン９０１が全押しのときオンする第２レリーズスイッチ９０１Ｂとを備えている。第１レリーズスイッチ９０１Ａがオンするとコントローラ４の入力ポート４Ｐ１がＨレベルからＬレベルになり、第２レリーズスイッチ９０１Ｂがオンするとコントローラ４の入力ポート４Ｐ２がＨレベルからＬレベルになる。
【００５４】
また、レリーズボタン９０１の第１,第２レリーズスイッチ９０１Ａ,９０１Ｂがメカスイッチである場合、レリーズボタン９０１が全押し操作されてから放された際、第２レリーズスイッチ９０１Ｂがオンからオフすることにより発生したノイズが消失した後に第１レリーズスイッチ９０１Ａがオフするように設定されている。このようにすることにより、第２レリーズスイッチ９０１Ｂのオフ時に発生するノイズの録音を防止することができる。
【００５５】
コントローラ４は、入力ポート４Ｐ１,４Ｐ２がＨレベルかＬレベルかに基づいて、レリーズボタン９０１が半押し状態か全押し状態かを判断して各種の制御を行うようになっている。そして、レリーズボタン９０１が半押しされると、撮像素子３０２,ＣＤＳ３０３,ＡＧＣアンプ３０４,Ａ／Ｄ変換器３０５,タイミングジェネレータ３０１,ＩＰＰ３０６およびコントローラ４を動作させるとともにフォーカスモータ２０４を駆動させてフォーカスレンズ２０１のピント合わせが行なわれる。また、レリーズボタン９０１が全押しされると、静止画像や動画像の撮影が実行される。
【００５６】
また、コントローラ４は、音声記録モードが設定されているとき、レリーズボタン９０１の操作に基づいて音声をＰＣカード３１２へ記録していく音声記録手段（録音手段）としての機能を有している。また、音声を記録していく際の音声記録手段のゲインを操作部９により所望の値に設定できるようになっている。
［動  作］
次に、上記のように構成されるカメラの動作を図３ないし図１７に示すフロー図に基づいて説明する。
【００５７】
先ず、図示しない電源スイッチをオンにすると、コントローラ４等が立ち上がり、メインフローのステップ１で音声記録モードあるいは動画記録モードであるかが判断され、ノーであればステップ４へ進み、イエスであればステップ２へ進む。ステップ２では、レリーズオンにおける音声記録開始あるいは音声記録開始と動画記録開始の処理が行われる。すなわち、レリーズ動作認識を予め設定した第１,第２レリーズスイッチ９０１Ａ,９０１Ｂのオン・オフに基づいて行う。そして、ステップ３では音声あるいは音声と画像の記録処理が行われる。
【００５８】
ステップ４では、音声記録モードや動画記録モードが設定されていない場合には、レリーズ動作認識が通常のレリーズ動作で行われる。
【００５９】
図４はステップ２の処理フロー図を示したものであり、ステップ５では、第１レリーズスイッチ９０１Ａがオンしたか否かが判断され、ノーで有ればステップ５へ戻る。レリーズボタン９０１が押されて第１レリーズスイッチ９０１Ａがオンするまで、ステップ５の処理動作が繰り返し行われ、第１レリーズスイッチ９０１Ａがオンするまで待機することになる。
【００６０】
レリーズボタン９０１が半押し操作されて第１レリーズスイッチ９０１Ａがオンすると、ステップ５でイエスと判断されてステップ６へ進む。ステップ６では、第２レリーズスイッチ９０１Ｂがオンしたか否かが判断され、ノーであればステップ６へ戻り、第２レリーズスイッチ９０１Ｂがオンするまでステップ６の処理動作が繰り返し行われ、第２レリーズスイッチ９０１Ｂがオンするまで待機することになる。
【００６１】
レリーズボタン９０１が全押し操作されて第２レリーズスイッチ９０１Ｂがオンすると、ステップ６でイエスと判断されてステップ７へ進む。ステップ７では、第２レリーズスイッチ９０１Ｂがオフしたか否かが判断され、ノーであればステップ７へ戻り、第２レリーズスイッチ９０１Ｂがオフするまでステップ７の処理動作が繰り返し行われる。
【００６２】
第２レリーズスイッチ９０１Ｂがオフすると、ステップ７でイエスと判断されてステップ８へ進む。ステップ８では、第１レリーズスイッチ９０１Ａがオフしたか否かが判断され、ノーで有ればステップ８へ戻り、第１レリーズスイッチ９０１Ａがオフするまでステップ８の処理動作が繰り返し行われる。そして、第１レリーズスイッチ９０１Ａがオフになると、図３に示すステップ３へ進み、ステップ３で音声の記録が処理が行われることになる。
【００６３】
このように、第１,第２レリーズスイッチ９０１Ａ,９０１Ｂがオンした後、第２,第１レリーズスイッチ９０１Ｂ,９０１Ａがオフしてから音声の記録が開始されるので、第１,第２レリーズスイッチ９０１Ａ,９０１Ｂのオン・オフによって発生するノイズを録音してしまうことを防止することができる。
［第２実施形態］
図５は、ステップ２の第２実施形態の処理フローを示したものであり、ステップ８の後にステップ９を追加したものである。ステップ９は、ディレイ回路(図示せず)の動作によって所定時間遅延した後ステップ３へ進むようにしたものである。
【００６４】
このように、ディレイ回路によって所定時間遅延させることにより、第１レリーズスイッチ９０１Ａがオフしたことにより発生するノイズも確実に録音しないようにすることができる。すなわち、図１９に示すように、第１レリーズスイッチ９０１Ａがオフした時点ｔ５から所定時間Ｔ１遅延した後音声を記録することにより、その時点ｔ５で発生するノイズＮＺを録音しないようにすることができる。
【００６５】
ここで、図１９に示すｔ１はレリーズボタン９０１を操作した時点であり、ｔ２はレリーズボタン９０１が半押し操作されて第１レリーズスイッチ９０１Ａがオンした時点であり、ｔ３はレリーズボタン９０１が全押し操作されて第２レリーズスイッチ９０１Ｂがオンした時点であり、ｔ４はレリーズボタン９０１が放されて第２レリーズスイッチ９０１Ｂがオフした時点であり、ｔ５はレリーズボタン９０１が放されて第１レリーズスイッチ９０１Ａがオフした時点である。
［第３実施形態］
図６は、ステップ２の第３実施形態の処理フローを示したものであり、ステップ５とステップ６との間にステップＡと、ステップ８の後にステップ８aを追加したものである。
【００６６】
ステップＡでは、図２０に示すように第１レリーズスイッチ９０１Ａがオンした時点ｔ２から音声の記録を開始するものであるが、音声記録手段のゲインをゼロあるいは最小ゲインからスタートさせていき、時間の経過とともにそのゲインを上げていく。
【００６７】
ステップ８aでは、第１レリーズスイッチ９０１Ａがオフした時点ｔ５の後に音声記録手段のゲインを通常のゲインあるいは予め設定した設定ゲインにする。
【００６８】
このようにすることにより、第１,第２レリーズスイッチ９０１Ａ,９０１Ｂのオン・オフによって発生するノイズの記録のレベルを低く押さえることができ、ノイズを不快なレベルで記録してしまうことを防止することができる。
【００６９】
この第３実施形態では、ステップＡの処理をステップ５の後に入れているが、ステップ６,７,８のいずれかの後に入れてもよい。
【００７０】
この実施形態では、第１レリーズスイッチ９０１Ａがオンした時点ｔ２から音声の記録を開始しているが、かならずしもこれに限るものではなく、時点ｔ２以降であって第１レリーズスイッチ９０１Ａがオフする以前であればよい。例えば、時点ｔ４と時点ｔ５の間の時点であってもよい。また、ゲインを直線的に上昇させる必要もない。
［第４実施形態］
図７は、ステップ２の第４実施形態の処理フローを示したものであり、ステップ５とステップ６との間にステップＤを入れたものである。
【００７１】
ステップＤでは、警告手段の動作を行うものである。すなわち、レリーズボタンが半押し操作されて第１レリーズスイッチ９０１Ａがオンしたとき、第１レリーズスイッチ９０１Ａがオフした時点ｔ５から所定時間Ｔ１遅延した後音声を記録することをＬＣＤ表示部６０２に表示したり、スピーカ８０２により音声で告知したり、あるいは振動モータ１００２を駆動させて警告したりするものである。
【００７２】
このように、レリーズボタンが半押し操作された際に、音声が遅延されて記録されることが警告されるので、ユーザはその設定を認識することができ、ユーザの誤設定を防止することができる。
［第５実施形態］
図８は、ステップ２の第５実施形態の処理フローを示したものである。これは、ステップ５とステップＡとの間に第４実施形態のステップＤを設けたものである。他は第３実施形態と同じなのでその処理動作の説明は省略する。
【００７３】
この第５実施形態では、第３実施形態の効果と第４実施形態の効果を得ることができることになる。なお、ステップＡはステップ５,６,７のいずれかの後に設けても良い。
［第６実施形態］
図９は、ステップ２の第６実施形態の処理フローを示したものである。この第６実施形態では、ユーザが警告手段の設定を行うことができるようにしたものであり、ステップ５とステップＤとの間にステップ５aを設けたものである。ステップ５aでは、警告手段の設定が行われているか否かが判断され、ノーであればステップ６へ進み、イエスであればステップＤへ進む。他は、第４実施形態と同じであるからその処理動作の説明は省略する。
【００７４】
この第６実施形態では、ユーザが警告手段の設定を行うことができるので、警告表示が目障りの場合、目障りとならないようにユーザは設定することができる。
［第７実施形態］
図１０は第７実施形態のフロー図を示したものであり、この第８実施形態では、図８に示すフローのステップ５とステップＤとの間に第６実施形態のステップ５aを設けたものである。他は第５実施形態と同じなのでその処理動作の説明は省略する。
【００７５】
この第７実施形態によれば、第５実施形態の効果と第６実施形態の効果を得ることができる。
【００７６】
なお、第１実施形態ないし第７実施形態では、画像の記録開始は第２レリーズスイッチ９０１Ｂがオンしとき行うものであるが、音声の記録開始と同時に画像の記録開始を行うようにしてもよい。このようにすることにより映像と音声とを一致させることができる。
［第８実施形態］
図１１は第８実施形態のフローを示したものである。図１１において、ステップ１０では、音声再生モードか動画再生モードかが判断され、ノーであればステップ１３へ進み、イエスであればステップ１１へ進む。ステップ１１では、レリーズオンにおける音声再生開始あるいは音声再生開始と動画再生開始の処理が行われる。すなわち、レリーズ動作認識を予め設定した第１,第２レリーズスイッチ９０１Ａ,９０１Ｂのオン・オフに基づいて行う。そして、ステップ１２では音声あるいは音声と画像の再生処理が行われる。
【００７７】
ステップ１３では、音声再生モードや動画再生モードが設定されていない場合には、レリーズ動作認識が通常のレリーズ動作で行われる。
【００７８】
図１２は、図１１のステップ１１の処理フローを示したものである。ステップ２０では、第１レリーズスイッチ９０１Ａがオンしたか否かが判断され、ノーで有ればステップ２０へ戻り、第１レリーズスイッチ９０１Ａがオンするまで待機する。
【００７９】
レリーズボタン９０１が半押し操作されて第１レリーズスイッチ９０１Ａがオンすると、ステップ２０でイエスと判断されてステップ２１へ進む。ステップ２１では、第２レリーズスイッチ９０１Ｂがオンしたか否かが判断され、ノーであればステップ２１へ戻り、第２レリーズスイッチ９０１Ｂがオンするまで待機する。
【００８０】
レリーズボタン９０１が全押し操作されて第２レリーズスイッチ９０１Ｂがオンすると、ステップ２１でイエスと判断されてステップ２２へ進む。ステップ２２では、第２レリーズスイッチ９０１Ｂがオフしたか否かが判断され、ノーであればステップ２２へ戻り、第２レリーズスイッチ９０１Ｂがオフするまで待機する。
【００８１】
第２レリーズスイッチ９０１Ｂがオフすると、ステップ２２でイエスと判断されてステップ２３へ進む。ステップ２３では、第１レリーズスイッチ９０１Ａがオフした否かが判断され、ノーで有ればステップ２３へ戻り、第１レリーズスイッチ９０１Ａがオフするまで待機する。そして、第１レリーズスイッチ９０１Ａがオフになると図１１に示すステップ１２へ進む。ステップ１２では、ＰＣカード３１２に記録された音声や画像の再生処理が行われる。
【００８２】
このように、第１,第２レリーズスイッチ９０１Ａ,９０１Ｂがオンした後、第２,第１レリーズスイッチ９０１Ｂ,９０１Ａがオフしてから音声や画像の再生が開始されるので、第１,第２レリーズスイッチ９０１Ａ,９０１Ｂのオン・オフによって発生するノイズが再生した音声や画像に乗ってしまうことを防止することができる。
［第９実施形態］
図１３は、ステップ１１の第９実施形態の処理フローを示したものであり、この第９実施形態ではステップ２３の後にステップ２４を設けたものである。
【００８３】
ステップ２４は、動画が再生開始してから所定時間遅延した後音声の再生が行われる場合、あるいはその動画再生時から所定時間経過後に再生される音声のレベルが通常のレベルになる場合、第１レリーズスイッチ９０１Ａがオフしたとき、ＬＣＤ表示部６０２にそのことを表示したり、スピーカ８０２により音声でそのことを告知したり、あるいは振動モータ１００２を駆動させて警告したりする。
【００８４】
このようにすることにより、ユーザに音声の再生にディレイがあることやゲインが低いことがあることを周知させることができる。
［第１０実施形態］
図１４は、第１０実施形態の処理フローを示したものである。この第１０実施形態ではユーザが警告手段の設定を行うことができるようにしたものであり、ステップ２３の後にステップ２３Ａを設けたものである。ステップ２３Ａでは、警告手段の設定が行われているか否かが判断され、ノーであればステップ１２へ進み、イエスであればステップ２４へ進む。他は、第９実施形態と同じであるからその処理動作の説明は省略する。
【００８５】
この第１０実施形態では、ユーザが警告手段の設定を行うことができるので、再生時の警告表示が目障りの場合、目障りとならないようにユーザは設定することができる。
［第１１実施形態］
図１５は第１１実施形態の処理フローを示したものである。図１５に示すステップ３０では、音声記録モードあるいは動画記録モードであるか否かが判断され、ノーであればステップ３２へ進み、イエスであればステップ３１へ進む。ステップ３１では、レリーズオンにおける音声記録終了あるいは音声記録終了と動画記録終了の処理が行われる。すなわち、レリーズ動作認識を予め設定した第１,第２レリーズスイッチ９０１Ａ,９０１Ｂのオン・オフに基づいて行う。ステップ３２では、音声記録モードや動画記録モードが設定されていない場合には、レリーズ動作認識が通常のレリーズ動作で行われて、音声記録や動画記録が終了する。
【００８６】
図１６はステップ３１の処理フローを示したものである。図１６に示すステップ４０では、レリーズボタン９０１が半押し操作されて第１レリーズスイッチ９０１Ａがオンされた否かが判断され、ノーであればステップ４０に戻り、第１レリーズスイッチ９０１Ａがオンするまで待機する。そして、第１レリーズスイッチ９０１Ａがオンすると、ステップ４０でイエスと判断されてステップ４１へ進む。ステップ４１では音声記録あるいは音声記録と動画記録が終了される。
【００８７】
この第１１実施形態では、第１レリーズスイッチ９０１Ａのオンにより音声記録あるいは音声記録と動画記録を終了するようにしているが、第２レリーズスイッチ９０１Ｂのオンやオフあるいは第１レリーズスイッチ９０１Ａのオフで音声記録や動画記録を終了するようにしてもよい。この場合、図２１に示すように、レリーズボタン９０１が操作されて（時点ｔ６）、第１レリーズスイッチ９０１Ａがオンする直前までさかのぼって、このさかのぼった時点から音声記録を終了する時点までの録音を削除する。
【００８８】
また、図２２に示すように、第１レリーズスイッチ９０１Ａがオンする手前から音声記録手段のゲインを漸減させていき、第１レリーズスイッチ９０１Ａがオフするタイミングでそのゲインを最小ゲイン（またはゼロ）にして音声の記録を終了してもよい。また、音声記録手段のゲインを最小ゲイン（またはゼロ）にするタイミングは第２レリーズスイッチ９０１Ｂのオンやオフであってもよい。図２２ではゲインを直線的に減衰させているが、必ずしも直線的である必要はない。
［第１２実施形態］
図１７は、ステップ３１の第１２実施形態の処理フローを示したものである。図１７に示すステップ５０では、第２レリーズスイッチ９０１Ｂがオンか否か、または第２レリーズスイッチ９０１Ｂがオフか否か、あるいは第１レリーズスイッチ９０１Ａがオフしたか否かが判断され、ノーであればステップ５０へ戻り、第２レリーズスイッチ９０１Ｂがオンやオフするまで、あるいは第１レリーズスイッチ９０１Ａがオフするまで待機する。第２レリーズスイッチ９０１Ｂがオンやオフ、あるいは第１レリーズスイッチ９０１Ａがオフすると、ステップ５０でイエスと判断されてステップ５１へ進む。
【００８９】
ステップ５１では警告手段の動作を行う。すなわち、図２１に示すように、音声の記録が終了する時点からさかのぼって音声の録音を削除する場合、ユーザに警告して周知させる。
【００９０】
ステップ５２では、第２レリーズスイッチ９０１Ｂがオンまたはオフするタイミング、あるいは第１レリーズスイッチ９０１Ａがオフするタイミングで音声の記録や画像の記録が終了される。
【００９１】
図１８は、ステップ５１の前にステップ５０Ａを設けたフロー図を示したものである。このステップ５Ａでは、警告手段が動作する前に警告が行われることを予め予告警告するものであり、ユーザが警告を見逃してしまうことのないようにしたものである。
【００９２】
上記のいずれの実施形態でも、デジタルカメラについて説明したが、これに限らず、アナログカメラにも適用できる。
【００９３】
【発明の効果】
以上説明したように、請求項１の発明によれば、録音手段の録音開始のタイミングは、撮影を開始するタイミングの後であるから、第１,第２レリーズスイッチのオン・オフ時に発生するノイズの録音を防止することができる。
【００９４】
請求項２の発明によれば、録音手段は、第１レリーズスイッチがオンからオフになった時点から所定時間だけ遅延した後に且つ撮影を開始するタイミングの後に録音を開始するものであるから、第１,第２レリーズスイッチがオンやオフする際に発生するノイズを録音してしまうことを確実に防止することができる。
【００９５】
請求項３の発明によれば、第２レリーズスイッチがオンした後、または第２レリーズスイッチがオフしたとき、録音手段は最小ゲインで録音を開始し、第１レリーズスイッチがオンからオフしたときその録音手段は通常のゲインで録音を行うものであり、しかも録音手段の録音開始のタイミングは、撮影を開始するタイミングの後であるから、第１,第２レリーズスイッチがオンやオフする際に発生するノイズを不快なレベルで録音してしまうことを防止することができる。
【００９６】
請求項４の発明によれば、レリーズボタンが半押し操作されて第１レリーズスイッチがオンしたとき、所定時間遅延した後にまたは最小ゲインで録音を開始することを警告表示するものであるから、ユーザの設定を認識させてユーザの誤操作を防止することができる。
【００９７】
請求項５の発明によれば、警告表示を行う警告モードと、その警告表示を行わない通常モードの選択が行えるものであるから、警告表示が目障りの場合、目障りとならないようにユーザは設定することができる。
【００９８】
請求項６の発明によれば、録音あるいは動画の録画は、再度レリーズボタンが全押し操作されて第１レリーズスイッチがオンからオフしたとき終了し、その終了した時点から前記第１レリーズスイッチがオフからオンした時点までの録音を削除するものであるから、第１,第２レリーズスイッチのオン・オフによって発生するノイズの録音は削除される。
【００９９】
請求項７の発明によれば、録音あるいは動画の録画は、再度レリーズボタンが全押し操作されて第１レリーズスイッチがオンからオフしたとき終了し、前記第１レリーズスイッチがオンした時点まで少なくともさかのぼり、このさかのぼった時点から第１レリーズスイッチのオフ時点までに録音したゲインを最小にまたは漸減するものであるから、第１,第２レリーズスイッチのオン・オフによって発生するノイズの録音のレベルを低減することができる。
【０１００】
請求項８の発明によれば、音声を削除する場合又は録音するゲインを低減する場合、警告手段によってそのことを録音開始前に又は再生時に警告するものであるから、音声の削除やゲインの低減をユーザに周知させることができる。
【図面の簡単な説明】
【図１】この発明に係るカメラの構成を示したブロック図である。
【図２】レリーズ系の構成を示した回路図である。
【図３】図１に示すカメラの処理動作を示すメインフロー図である。
【図４】音声記録開始や動画記録開始の処理動作を示したフロー図である。
【図５】音声記録開始や動画記録開始の第２実施形態の処理動作を示したフロー図である。
【図６】音声記録開始や動画記録開始の第３実施形態の処理動作を示したフロー図である。
【図７】音声記録開始や動画記録開始の第４実施形態の処理動作を示したフロー図である。
【図８】音声記録開始や動画記録開始の第５実施形態の処理動作を示したフロー図である。
【図９】音声記録開始や動画記録開始の第６実施形態の処理動作を示したフロー図である。
【図１０】音声記録開始や動画記録開始の第７実施形態の処理動作を示したフロー図である。
【図１１】第８実施形態のカメラの処理動作を示すメインフロー図である。
【図１２】音声再生開始や動画再生開始の処理動作を示したフロー図である。
【図１３】音声再生開始や動画再生開始の第９実施形態の処理動作を示したフロー図である。
【図１４】音声再生開始や動画再生開始の第１０実施形態の処理動作を示したフロー図である。
【図１５】第１１実施形態のカメラの処理動作を示すメインフロー図である。
【図１６】音声記録終了や動画記録終了の処理動作を示したフロー図である。
【図１７】音声記録終了や動画記録終了の第１２実施形態の処理動作を示したフロー図である。
【図１８】他の例を示したフロー図である。
【図１９】レリーズボタンと第１,第レリーズスイッチの動作と音声記録手段の動作などを示したタイムチャートである。
【図２０】第３実施形態におけるレリーズボタンと第１,第レリーズスイッチの動作と音声記録手段の動作などを示したタイムチャートである。
【図２１】第１１実施形態におけるレリーズボタンと第１,第レリーズスイッチの動作と音声記録手段の動作などを示したタイムチャートである。
【図２２】第１２実施形態におけるレリーズボタンと第１,第レリーズスイッチの動作と音声記録手段の動作などを示したタイムチャートである。
【符号の説明】
４      コントローラ
９０１      レリーズボタン
９０１Ａ    第１レリーズスイッチ
９０１Ｂ    第２レリーズスイッチ
【図１】
0003974433.tif 000002
【図２】
0003974433.tif 000003
【図３】
0003974433.tif 000004
【図４】
0003974433.tif 000005
【図５】
0003974433.tif 000006
【図６】
0003974433.tif 000007
【図７】
0003974433.tif 000008
【図８】
0003974433.tif 000009
【図９】
0003974433.tif 000010
【図１０】
0003974433.tif 000011
【図１１】
0003974433.tif 000012
【図１２】
0003974433.tif 000013
【図１３】
0003974433.tif 000014
【図１４】
0003974433.tif 000015
【図１５】
0003974433.tif 000016
【図１６】
0003974433.tif 000017
【図１７】
0003974433.tif 000018
【図１８】
0003974433.tif 000019
【図１９】
0003974433.tif 000020
【図２０】
0003974433.tif 000021
【図２１】
0003974433.tif 000022
【図２２】
0003974433.tif 000023